(57)【要約】  本発明は、静電フィルタの静電フィルタプレートを支持するためのラックに関する。ラックは、ノッチに配置されたプレートを支持するための複数のノッチをラックの長手方向側に備える長尺部材である。ラックは、少なくともプレートをラックに取り付けるために使用されるように配置された接着剤のためのスロットをさらに備える。スロットはラックのノッチとは反対側に配置される。本発明はさらに、複数のラックを備える静電フィルタに関する。
2020510533.tif 000002
【特許請求の範囲】
【請求項１】
フレームレスフィルタのフィルタプレートを支持し電圧を供給するラックであって、
前記ラック（１０）は前記ラック（１０）の長手方向側に、ノッチ（１１）に配置されたプレートを支持するための複数のノッチ（１１）を備えた長尺部材であり、
前記ラック（１０）の両端に、前記ラック（１０）を前記フレームレスフィルタの支持構造に接続するための接続構造（１３）を備え、
前記ラック（１０）は少なくとも前記プレートを前記ラック（１０）に取り付けるために使用されるように配置された接着剤のためののスロット（１２）をさらに備え、
前記スロット（１２）は前記ノッチ（１１）とは前記ラック（１０）の反対側に配置される、
ラック。
【請求項２】
前記ラック（１０）が樹脂製である、請求項１に記載のラック。
【請求項３】
前記ラック（１０）が非導電性材料からなる、請求項１または請求項２に記載のラック。
【請求項４】
前記ラック（１０）が導電性材料からなる、請求項１または請求項２に記載のラック。
【請求項５】
前記フィルタプレートは、前記スロット（１２）内の接着剤によって前記ラック（１０）に取り付けられるように配置される、請求項１〜４のいずれか１項に記載のラック。
【請求項６】
前記ラック（１０）は前記フィルタプレートのための電圧供給ラックとして働くよう調整される、請求項１〜５のいずれか１項に記載のラック。
【請求項７】
前記フィルタプレートは、導電性接着剤によって前記ラック（１０）に取り付けられるように配置される、請求項６に記載のラック。
【請求項８】
前記ラック（１０）は、少なくとも１つの電気コネクタをさらに備える、請求項１〜７のいずれか１項に記載のラック。
【請求項９】
請求項１から８のいずれか１項に記載の複数のラック（２１、２７）と、互いに積み重ねて配置された複数の導電性フィルタプレート（２２、２３）とを備えたフレームレスの静電フィルタであって、
前記フィルタプレート（２２）の第１の部分が第１の電位に調整され、前記フィルタプレート（２３）の第２の部分が第２の電位に調整され、
前記フィルタプレート（２２）のの前記第１の部分のみを支持するように前記ラック（２１）の第１の部分が配置され、前記フィルタプレート（２３）の第２の部分のみを支持するように前記ラック（２７）の第２の部分が配置され、それにより、各々の前記ラック（２１、２７）が複数のフィルタプレート（２２、２３）を支持し、各プレート（２２、２３）が複数のラック（２１、２７）によって支持され、
スタックの１つおきのフィルタプレート（２２）が前記第１の電位に調整され、１つおきのプレート（２３）が前記第２の電位に調整され、それにより、フィルタプレート（２２、２３）間に電界が形成され、
前記プレート（２２、２３）が整列されるがラック（２１、２７）に取り付けられるように配置されていない位置で、前記プレート（２２、２３）に開口部（２４）が設けられ、前記ラック（２１）の前記第１の部分の少なくとも１つのラックは前記プレート（２２）の前記第１の部分に第１の電圧を供給するように配置され、前記ラック（２７）の前記第２の部分の少なくとも１つのラックは前記プレート（２３）の前記第２の部分に第２の電圧を供給するように配置され、
前記静電フィルタ（２０）は前記静電フィルタ（２０）の上方および下方に支持構造を備える、
静電フィルタ。
【請求項１０】
導電性接着剤が、プレートに電圧を供給するように配置されたラック（２１、２７）のスロット（２６）内で使用される、請求項９に記載の静電フィルタ。
【請求項１１】
非導電性接着剤が、プレート（２２、２３）を支持するように配置されたラック（２１、２７）のスロット（２６）にプレートを取り付けるために使用される、請求項９または請求項１０に記載の静電フィルタ。
【請求項１２】
前記
静電フィルタ（２０）は、複合静電フィルタを形成するための別の静電フィルタに接続されている、請求項９〜1１のいずれか１項に記載の静電フィルタ。
【請求項１３】
前記静電フィルタ（２０）は、直角に形成されるように他の静電フィルタに接続され、両静電フィルタが前記複合静電フィルタのコーナー構造の半分を形成することを特徴とする、請求項１２に記載の静電フィルタ。
【請求項１４】
プレート（２２、２３）に電圧を供給するように配置されたラック（３２ａ、３２ｂ）が、複合静電フィルタの内側に配置される、請求項１２または請求項１３に記載の静電フィルタ。
【発明の詳細な説明】
【技術分野】
【０００１】
本発明は、静電フィルタ構造に使用されるラックに関する。さらに、本発明は、いくつかのラックを備える静電フィルタに関する。
【背景技術】
【０００２】
空気流から粒子を分離するために、様々な種類の静電集塵器（ＥＳＰ）が使用される。このようなフィルターを含む空気浄化装置は、一般に公衆に市販されている。空気浄化装置は例えば、空気ダクト内に配置することができ、又は携帯装置とすることができる。これらのフィルタは、粒子帯電ユニットおよび粒子収集ユニットを備える。粒子帯電ユニットは例えば、空気流中に存在する粒子を電子電荷でイオン化または帯電させるための少なくとも１つのコロナワイヤまたはコロナ針を備える。粒子収集ユニットは、粒子帯電ユニットに対して下流に配置された静電プレートスタックを備える。粒子収集ユニットでは、反対の電荷で帯電されたプレートによって電界が生成される。帯電粒子は粒子収集ユニットのプレートのスタックを通過し、プレートと衝突するときに、空気流から収集され、除去される。プレートは、通常、金属または適切なポリマー材料から作製され、プレートのスタックとしてフレーム構造に配置される。
【発明の概要】
【発明が解決しようとする課題】
【０００３】
本発明の目的はフィルタ構造に使用するのに適した支持ラックであるラックを提供し、プレートの支持構造として複数のラックを備えるフィルタ構造を提供することである。ラックは、電圧接続手段としても機能し得る。
【課題を解決するための手段】
【０００４】
第１の実施形態によれば、フレームレスフィルタのフィルタプレートを支持し、電圧を供給するラックが提供される。ラックは、ノッチに配置されたプレートを支持するための複数のノッチをラックの長手方向側に備え、ラックをフレームレスフィルタの支持構造に接続するための接続構造をラックの両端に備える長尺部材である。ラックは、少なくともプレートをラックに取り付けるために使用されるように配置された接着剤用スロットをさらに備える。スロットはラックのノッチとは反対側に配置される。
【０００５】
一実施形態によれば、ラックは樹脂で作られる。一実施形態によれば、ラックは非導電性材料で作られる。一実施形態によれば、ラックは導電性材料で作られる。一実施形態によれば、フィルタプレートは、スロット内の接着剤によってラックに取り付けられるように配置される。一実施形態によれば、ラックは、フィルタプレートのための電圧供給ラックとして機能するようにさらに構成される。一実施形態によれば、フィルタプレートは、導電性接着剤によってラックに取り付けられるように配置される。一実施形態によれば、支持構造は、フレームレス静電フィルタの上方および下方のカバーである。一実施形態によれば、ラックは少なくとも１つの電気コネクタをさらに備える。
【０００６】
第２の実施形態によれば、複数のラックと、互いに積み重ねて配置された複数の導電性フィルタプレートとを備えるフレームレス静電フィルタが提供される。ラックは、ノッチに配置されたプレートを支持するための複数のノッチをラックの長手方向側に備える長尺部材である。ラックは、少なくともプレートをラックに取り付けるために使用されるように配置された接着剤用スロットをさらに備える。スロットはラックのノッチとは反対側に配置される。
【０００７】
フィルタプレートの第１の部分は第１の電位に調整され、フィルタプレートの第２の部分は第２の電位に調整される。ラックの第１の部分はフィルタプレートの第１の部分のみを支持するように配置され、ラックの第２の部分は各ラックが複数のフィルタプレートを支持し、各プレートが複数のラックによって支持されるように、フィルタプレートの第２の部分のみを支持するように配置される。スタックの１つおきのフィルタプレートはフィルタプレート間に電界が形成されるように、第１の電位に調整され、１つおきに第２の電位に調整される。プレートがラックと位置合わせされるが、そのラックに取り付けられるように配置されない点で、プレートに開口があり、ラックの第１の部分の少なくとも１つのラックはプレートの第１の部分に第１の電圧を供給するように配置され、ラックの第２の部分の少なくとも１つのラックはプレートの第２の部分に第２の電圧を供給するように配置され、第２の電圧はプレートの第２の部分の接地を意味請求項。フレームレス静電フィルタは、フィルタの上方および下方に支持構造を備える
【０００８】
一実施形態によれば、ラックは樹脂で作られる。一実施形態によれば、ラックは、非導電性または導電性の材料で作られる。一実施形態によれば、フィルタプレートは、スロット内の接着剤によってラックに取り付けられるように配置される。一実施形態によれば、ラックは、フィルタプレートのための電圧供給ラックとして機能するようにさらに構成される。一実施形態によれば、フィルタプレートは、導電性接着剤によってラックに取り付けられるように配置される。一実施形態によれば、ラックはラックを静電フィルタ上の支持構造に接続するために、ラックの両端に接続構造をさらに備える。一実施形態によれば、導電性接着剤は、プレートに電圧を供給するように配置されたラックのスロットに使用される。一実施形態によれば、非導電性接着剤は、プレートを支持プレートに配置されたラックのスロットに取り付けるために使用される。一実施形態によれば、ラックは少なくとも１つの電気コネクタをさらに備える。一実施形態によれば、フィルタは、矩形、立方体、半楕円、楕円、三角形、半円、または円の形状を有する。一実施形態によれば、フィルタは矩形、立方体、楕円形、三角形、または円形の形状を有する複合静電フィルタを形成するために、別の静電フィルタに接続するのに適している。一実施形態によれば、フィルタは直角が形成されて両方の静電フィルタが複合静電フィルタのコーナー構造の半分を形成するように、別の静電フィルタに接続されるのに適している。一実施形態によれば、プレートに電圧を供給するように構成されたラックが、複合静電フィルタの内側に配置される。
【０００９】
以下では、添付の図面に関連して、様々な実施形態をより詳細に説明する
【図面の簡単な説明】
【００１０】
【図１】本実施形態に係る空気浄化装置の静電フィルターのラックを斜視図で示す図である。
【図２Ａ】本実施形態に係る静電フィルターの一部を斜視図で示す図である。
【図２Ｂ】本実施形態に係る静電フィルターの一部を斜視図で示す図である。
【図３Ａ】本実施形態に係る静電フィルターの一部を斜視図で示す図である。
【図３Ｂ】本実施形態に係る静電フィルターを斜視図で示す図である。
【図４】本実施形態の静電フィルターの一部を上方から見た図である。
【図５Ａ】静電フィルターの従来技術の電源接続を示す図である。
【図５Ｂ】静電フィルターの従来技術の電源接続を示す図である。
【図５Ｃ】上方から見た本実施形態による複合静電フィルターの電源供給接続を示す図である。
【図６Ａ】本発明の一実施形態によるフィルタおよび結合されたフィルタ構造を上方から示す図である。
【図６Ｂ】本実施形態に係るフィルタおよび複合フィルタ構造を上方から示す図である。
【図６Ｃ】フィルタと、上方から見たフィルタ構造体との組み合わせを示す図である。
【図６Ｄ】フィルタと、上方から見たフィルタ構造の組み合わせを示す図である。
【図６Ｅ】フィルタと、上方からの実施形態による結合フィルタ構造とを示す図である。
【図６Ｆ】フィルタと、上方からの実施形態による結合フィルタ構造とを示す図である。
【発明を実施するための形態】
【００１１】
本発明の実施形態によるフィルタ構造の一例は静電フィルタ、例えば、空気浄化装置又はガスフィルタに使用するのに適した静電集塵器（ＥＳＰ）である。接続部に関連して、空気浄化装置は、供給空気装置、空気清浄装置、空調装置、またはガス流から粒子および他の不純物を分離および除去するための濾過構造を使用する任意の他の装置とすることができる。ガス流は例えば、空気流とすることができる。
【００１２】
空気浄化装置のための本発明による静電フィルタ構造は、少なくとも１つの粒子帯電ユニットと少なくとも１つの静電フィルタとを備える。粒子帯電ユニットは例えば、少なくとも１つのイオナイザ、すなわちコロナ帯電器、例えば、ガス流中に存在する粒子を電荷でイオン化または帯電させるための１つ以上のコロナ針または１つ以上のコロナワイヤを含んでもよい。コロナワイヤまたは針の代わりに、他のタイプの粒子帯電を使用することも可能である。粒子帯電ユニットはまた、フィルタの上流、すなわちフィルタの前面に設置された装置、またはフィルタに一体化された装置でもよい。フィルタに入る空気流はそれが静電フィルタ構造の実際の静電フィルタに入る前にイオン化され、その結果、帯電されたガス流中の粒子は静電フィルタによってガス流から除去されることができる。静電フィルタを流れるガス流の粒子を帯電させる高電圧イオナイザは、最小量のオゾンを生成することもできる。これらの低いレベルでは、腐食を増加させたり、アレルゲンレベルの増加または喘息を引き起こすことはない。しかしながら、コロナワイヤの代わりにコロナ針を使用する場合、より少量のオゾンしか生成されないことが可能である。本発明の一実施形態による粒子帯電ユニットは例えば、少なくとも１つの、また２〜８本またはそれ以上のコロナ針を含んでもよい。
【００１３】
本発明の実施形態による静電フィルタ自体はプレート状要素の２つのグループ、すなわち、互いに所定の距離で互いに本質的に平行に配置され、静電フィルタ構造によって浄化されるように配置され、プレートを通過して静電フィルタを通って流れるガス流の流れ方向に本質的に平行な静電フィルタプレートを備える粒子収集ユニットである。両方のグループのプレートは例えば、導電性樹脂または他の適切な材料から作製される導電性プレートである。プレートの第１のグループは第１の電位に調整され、プレートの第２のグループは２つの隣接するプレート間に電位差が存在し、２つの隣接するプレート間に電界が形成されるように、第２の電位に調整される。形成される電位差は例えば、４ｋＶ〜１０ｋＶとすることができる。例えば、第１の電位がアースである場合、第２の電位は負または正の高電圧であってもよく、またはその逆であってもよく、または第１の電位が負の高電圧である場合、第２の電位は正の高電圧であってもよく、またはその逆であってもよい。負または正の高電圧に配置されたプレートは対応するＤＣ高電圧源、例えば、−４ｋＶ〜−１０ｋＶまたは＋４ｋＶ〜＋１０ｋＶに接続される。接地電位に調整されたプレートは、接地電圧源に接続されている、すなわちプレートは接地されている。プレートの第２のグループのプレートは、プレートの第１のグループと比較して電気的に分離される。第１のグループのプレートと第２のグループのプレートとの間に電圧差が存在し、プレート間に電界が形成される。導電性ラックの場合、ラックが電圧源に接続されるように、プレートは充電され、接地される。しかし、導電性接着剤が導電性ラックのスロット内に配置される場合、ラックが電圧源に接続され、および／または導電性接着剤が電圧源に接続されてもよい。一方、導電性接着剤が非導電性ラックのスロット内に配置される場合、接着剤は電圧源に接続される。ラックの両端は、電圧源に接続されてもよい。
【００１４】
静電フィルタのプレートはスタックを形成し、スタックの各第２のプレートは第１の電位にあり、各第２のプレートは第２の電位にある。ガス流の帯電粒子は、収集プレートとも呼ばれる、異なる電荷を有するプレートに引き付けられる。粒子が正に帯電している場合、それらはフィルターの負に帯電したプレートまたは接地されたプレートによって収集され、粒子が負に帯電している場合、それらは正に帯電したプレートまたは接地されたプレートによって収集される。言い換えれば、帯電粒子はフィルタに導かれ、このフィルタにおいて、ガス流からの粒子の分離は、主に電場の電気力によって行われる。同心要素を適切な距離だけ離して保持し、電気的に絶縁するために、および／またはＤＣ電圧供給および／または接地接続を提供するために、本発明によるラックが使用される。
【００１５】
本発明によるラックは導電性又は非導電性材料、例えば、樹脂又は他の適切な材料、例えば、活性炭又は何らかの適切な材料でコーティングされた他の材料で作られたプレートのための支持構造である。本発明によるラックはプレートを支持するために、および／または電圧供給手段としても使用することができる。使用される材料は問題のラックの意図された使用に依存することができ、例えば、支持構造の場合には非導電性材料を使用することができ、電圧供給ラックの場合には導電性材料を使用することができる。しかしながら、場合によっては、導電性接着剤が使用される場合、支持構造のための導電性材料および電圧供給ラックのための非導電性材料を使用することが可能である。導電性接着剤は、プレートをラックに取り付けるためにラックのスロットに使用するのに適した任意の材料とすることができる。
【００１６】
ラックは長尺形状を有し、ラックの長手方向側に複数のノッチを備える。ノッチは、ラックの長手方向に対して垂直に配置される。プレートの縁部は例えば、ラックの１つおきのノッチに配置されてもよく、その結果、プレートは類似のラックが両方の電位においてプレートを支持するために使用される場合に、一方が他方の上方にある。あるいは第１の電位のプレートを支持するラックが第２の電位のプレートを支持するラックとは異なる高さのノッチを有し、異なる電位のプレートが重なり合うプレートが異なる電位になるように定着するように、ラックが形成される場合、プレートはラックのすべてのノッチに配置されてもよい。同じラックに支持された各プレートは、同じ電位に調整される。ラックが非導電性材料からなる場合には非導電性接着剤によって、ラックが導電性材料からなる場合には導電性接着剤によって、プレートをラックに適所に取り付けることができる。接着剤は導電性または非導電性材料、例えば、ラックのスロットに配置される前に精製される樹脂で作られてもよい。接着剤の材料は、ラックの材料と同じ材料であってよい。スロットは、ラックのノッチとは反対側にある。スロットは、長手方向ラックの第１の端部領域からラックの第２の端部領域まで延びることができる。通常、ラックは、ラックを静電フィルタ上の支持構造に接続するための接続構造をラックの両端にさらに備えるので、スロットはラックのまさに端部まで延在しなくてもよい。スロットは、ノッチを含むラックのその点に配置されてもよい。接着剤は、プレートをラックに固定するために使用されてもよい。ラック及び接着剤が非導電性の抵抗性材料で作られる場合、ラックに取り付けられるプレートは互いに絶縁されるが、ラック及び／又は接着剤が導電性である場合、プレートは同じ電位に調整される。
【００１７】
静電フィルタでは、ラックに配置された第１の電位の２つのプレートの間の第２の電位に調整されたプレートがある。例えば、ラック内に配置されたプレートが接地されている場合、すなわち、第１の電位にある場合、接地されたプレート間のプレートは、第２の電位に充電される。第２の電位のプレートもラックに取り付けられ、これは接地プレートが取り付けられる場所とは異なる。さらに、異なる電位を有するプレートの偶発的な結合を回避するために、プレートがラックと位置合わせされるが、ラックに取り付けられるように配置されない点で、プレートに開口部がある。これは、ラックに取り付けられるように配置されていないプレートがラックから明らかに離れて配置されていること、すなわち、プレートの縁部と、プレートが取り付けられるように配置されていないラックとの間に距離があることを意味する。プレートとラックとの間の距離は絶縁破壊電圧を超えないように、および／または他の電気漏れが最小限に抑えられるように配置される。可能な距離は、例えば１〜１５ｍｍ、例えば４ｍｍとすることができる。重なり合うプレートの間の距離は、接続されていないプレートとラックとの間の距離と同じであってもよい。したがって、開口部のために、たとえ湿気が蓄積したりプレートが汚れたりしても、異なる電位にある重なり合うプレート間で意図しない結合が起こる可能性は少ない。本発明の実施形態によるフィルタ構造は例えば、異なる電位のプレートなどの部品が、蓄積された水分および汚れにもかかわらず接触しないため、プレートおよびラック上に蓄積する水分および汚れに対処する改善された能力を有する。各プレートは、互いに距離をおいて配置されたいくつかのラックに接続することができる。第１の電位のプレートを含むラック間に、第２の電位のプレートを含むラックがあってもよい。ラックはプレートを支持するように配置された支持構造を有し、その結果、プレートはその上方および／または下方のプレートから所望の距離内に留まるが、フィルタ構造体を丈夫にし、その形状を維持する。
【００１８】
支持に加えて、本発明の一実施形態によるラックは電圧供給手段として、すなわち、既に上述したような電圧接続構造として機能することができる。所望のＤＣ電圧は導電性または非導電性ラックのスロット内の導電性接着剤を使用することによってラックに接続されたプレートにもたらされ得るか、またはラックが導電性材料から作製される場合、ラックのスロット内の導電性接着剤または接着剤を全く使用する必要がないが、導電性ラックはそのようなものとして電圧接続構造として作用する可能性がある。電圧接続構造として作用するラックは次に、電源、すなわち、プレートに所望の電圧を供給するＤＣ電圧源に接続される。所望の電位は例えば、接地または例えば４ｋＶ〜１０ｋＶまたは−４ｋＶ〜１０ｋＶの間の電圧であってもよい。
【００１９】
本発明の実施形態によるラックはガスフィルタが形成されるように、静電フィルタプレートの代わりに、または静電フィルタプレートに加えて、コーティングされた、例えば、活性炭フィルタプレートまたは樹脂、セラミック、金属などのプレートのような他のタイプのプレート状要素を支持するようにさらに配置されてもよいことに留意されたい。また、これらのプレートはラックに取り付けられると、本質的に、互いに所定の距離で、かつガスフィルタによって浄化されるように配置され、かつガスフィルタを通ってプレートを通過して流れるガス流の流れ方向に本質的に平行なスタックとして配置される。ガスフィルタは、ガス流から異なるタイプの不純物を浄化するのに適している。
【００２０】
図１は、本発明の一実施形態による空気浄化装置の静電フィルタ用ラック１０を斜視図で示す。ラック１０は、ラックの使用目的に応じて、非導電性または導電性材料、例えば樹脂で作られた長手方向部材である。ラック１０の第１の長手方向側部には、ラック１０の長手方向に対して垂直に配置された複数のノッチ１１が設けられている。静電フィルタプレートはこれらのノッチ１１の少なくとも一部に、例えば、１つおきのノッチ１１に、ラックの長手方向に垂直に配置され、取り付けられるように配置される。ラックに取り付けられたすべてのプレートは、同じ電位に調整される。ラック１０の反対側の長手方向側、すなわち第２の長手方向側は、接着剤のためのスロット１２を含む。接着剤は、プレートを所定の位置に取り付けるように配置された非導電性接着剤であってもよい。しかしながら、接着剤がプレートを取り付けることに加えて、またはその代わりに、電位がプレートに提供される電気コネクタとして使用される場合、スロット１２内の接着剤は導電性である。ラック１０の両端は接続構造１３を含む。接続構造１３は、ラック１０を静電フィルタ上の支持構造に接続するために使用される。本発明のいくつかの実施形態では、スロット１２に接着剤を使用する必要がないことも可能である。
【００２１】
図２Ａは、本発明の一実施形態による静電フィルタ２０の一部を斜視図で示す。静電フィルタ２０は、プレートを支持するためのいくつかの非導電性ラック２１、２７を含む。ラック２１の第１の部分は第１の群２２のプレートを支持するように配置され、ラック２７の第２の部分は第２の群２３のプレートを支持するように配置され、第１の群２２のプレートは第１の電位に調整され、第２の群２３は第２の電位に調整され、第１の電位は第２の電位とは異なる。図２Ａから分かるように、第１の群２２のプレートはラック２１の第１の部分に取り付けられ、第２の群２３のプレートはラック２７の第２の部分に取り付けられている。プレート２２、２３がラック２７、２１と整列しているが、それに取り付けられていない点で、プレート２２、２３に開口２４がある。１つのプレート２２、２３は、通常、幾つかの開口部２４を有する。ラック２１の端部は、静電フィルタ２０の支持構造（図示せず）に接続されるように配置された接続構造２５を備える。
【００２２】
プレート２２、２３は、ラック２１、２７のノッチとは反対側に配置されたラック２１、２７のスロット２６内の非導電性接着剤を使用することによってラック２１、２７内の適所に取り付けることができる。接着剤はプレートを所定の位置に固定する。
【００２３】
両グループ２２、２３のプレートは、導電性樹脂プレートである。重なり合うプレート間の距離は空気がプレート２１、２７を通って流れることができ、適切な電界がプレート２１、２７間に提供されることができるように配置される。
【００２４】
図２Ｂは、本発明の実施形態による静電フィルタ２０のより大きな部分を斜視図で示す。この実施形態では、第２のグループのプレート２３に電圧を供給するために使用されるラック２８も示されている。また、プレート２２が電圧供給ラック２８と整列しているが、そのラック２８には取り付けられていない点において、第１のグループのプレート２２には開口２４がある。電圧供給ラック２８のスロットに使用される接着剤は導電性である。
【００２５】
図３Ａは、本発明の一実施形態による静電フィルタ３０の一部を斜視図で示す。静電フィルタ３０は、いくつかのラック３１と、それに取り付けられたプレートを第１の電位に調整するための電圧供給ラック３２ａと、それに取り付けられたプレートを第２の電位に調整するための電圧供給ラック３２ｂと、ラック３１、３２ａ、３２ｂの接続手段が取り付けられるカバー３３とを含む。カバー３３は、非導電性材料、例えば非導電性樹脂からなる。ラック３１、３２ａ、３２ｂの他方の端部の接続手段が取り付けられる対応するカバー（図示せず）もある。フィルタ３０はそのままで使用されてもよく、または、より大きな静電フィルタ体、すなわち、２つ以上の静電フィルタ、例えば、図３Ａの静電フィルタ３０に対応するフィルタを含む複合静電フィルタの一部として使用されてもよい。結合された静電フィルタは、依然として１つの静電フィルタとして作用する。また、静電フィルタの形状は、本発明の実施形態に示されている以外のものであってもよい。それは、例えば、長方形であってもよい。
【００２６】
図３Ｂは、本発明の実施形態による複合静電フィルタを斜視図で示す。複合静電フィルタ３５は、図３Ａに示される静電フィルタ３０に対応する４つの同様の別個の静電フィルタ３０を備える。静電フィルタ３０の形状は四角形のような箱状に配置するのに適したものであり、４つの側の各々は静電フィルタ３０である。静電フィルタ３０は異なる組み合わせフィルタ形状が形成されるように、異なる方法で互いに接続されてもよく、静電フィルタ３０は例えば、互いに隣り合って配置されてもよく、または、より大きな静電フィルタには２つまたは３つのフィルタのみがあってもよい。２つ以上の別個の静電フィルタ３０を含む複合静電フィルタ３５はまた、使用場所で使用されるように配置される形状に形成されてもよい。これは、２つ以上の別個の静電フィルタ３０を含む結合された静電フィルタ３５の保管および輸送がより容易かつ安価であるという利点を提供する。本発明の実施形態による静電フィルタおよび複合静電フィルタの可能な形状の他の例が、図６Ａ〜図６Ｆに示されている。静電フィルタは、任意の適切な接続装置によって少なくとも１つの他の静電フィルタに接続されてもよい。接続装置は例えば、クリップ、接着剤、テープ、ベルクロ、磁石、ピンホール装置等であってもよい。
【００２７】
図４は、本発明の実施形態による静電フィルタの一部を上方から示す。この実施形態では、共に接続された２つの別個の静電フィルタ４４、４５を含む複合静電フィルタ４０のコーナー構造が示されている。静電フィルタ４４、４５の構造は両方の静電フィルタ４４、４５が複合静電フィルタ４０のコーナー構造の半分を形成するように直角を形成することができるようなものであり、静電フィルタ４４、４５が静電フィルタ４４、４５を取り囲むフレーム構造を含まないので、空気は静電フィルタ４０のコーナー構造全体を比較的制限されずに流れることができ、したがって、複合静電フィルタ４０のコーナー構造全体が空気流を濾過することができる。この種のコーナー構造は、複合静電フィルタ４０のためのより大きな表面積を提供する。表面積が大きいほど、より良好な濾過効率が得られる。さらに、この種のコーナー構造はフィルタのいくつかの既存のコーナー構造のように、空気が結合フィルタ４０を通過して流れることを可能にしない構造であり、すなわち、空気は、濾過されることなく結合フィルタ４０を通って流れることができない。
【００２８】
図５Ａおよび図５Ｂは、静電フィルタの従来技術の電圧供給接続を示す。従来、電圧供給接続部は、静電フィルタの外面または内面に配置される。図５Ａでは供給接続部５１が静電フィルタ５０の外面に配置されているが、これは供給接続部５１が内側に静電フィルタ５０が配置されている空気浄化装置の金属構造と容易にかつ意図せずに接続されている可能性があるため、適切に機能しない可能性がある。そのため、この構造は問題となる。図５Ｂにおいて、供給接続部５４は、静電フィルタ５３の内面に配置されている。この場合、浄化されていないガス流はフィルタ５３のフィルタ部分の中央に形成された開口５５を介してフィルタ部分の外面に向かって浄化するために、静電フィルタ５３への途中で供給接続部５４に接触する。粒子は供給接続部５４を汚すことがあり、これはショートまたは短絡につながることがある。短絡は、粒子がそれらの中の水分を吸収するときに形成される可能性がより高い。図５Ａの構造も、フィルタ５１の外側からフィルタ５０の内側に向かって浄化するために、空気が静電フィルタ５０に至る途中で供給接続部５１に接触するときに、望ましくない短絡につながる可能性があることに留意されたい。
【００２９】
図５Ｃは、本発明の一実施形態による複合静電フィルタ５６の電圧供給接続部５７を上方から示す。この実施形態では、電圧供給接続部５７が電圧供給ラックとして静電フィルタ５６の内側に配置されている。これは、電圧供給接続部５７が内側に静電フィルタ５６が配置されている空気浄化装置の金属構造を汚したり、接触したりしないので、好ましい。さらに、電圧供給接続部５７が静電フィルタ５６の内側に配置される場合、ラック上に蓄積する水分および汚れは少ない。
【００３０】
図６Ａ〜図６Ｆは、上方からの本発明の実施形態によるフィルタおよび複合フィルタ構造を示す。図６Ａは、本発明の一実施形態による矩形複合静電フィルタ６０を示す。複合静電フィルタ６０は４つの別々の静電フィルタを含み、それらのうちの２つはより大きな静電フィルタ６１であり、２つはより小さな静電フィルタ６１´である。結合された静電フィルタのフィルタは、同じ大きさまたは形状である必要はない。図６Ｂは、半円の形状を有する本発明の一実施形態による静電フィルタ６２を示す。このフィルタを、半円形状の他の静電フィルタに組み合わせて円合成フィルタを形成することも可能である。図６Ｃは、円の形状を有する本発明の一実施形態による静電フィルタ６３を示す。図６Ｄは、半楕円形の形状を有する本発明の一実施形態による静電フィルタ６４を示す。このフィルタを、半楕円形の形状も有する他の静電フィルタと組み合わせて、楕円形の組み合わせフィルタを形成することが可能である。図６Ｅは、楕円形の形状を有する本発明の一実施形態による静電フィルタ６６を示す。図６Ｆは、三角形の形状を有する本発明の一実施形態による複合静電フィルタ６８を示している。複合静電フィルタ６８は、互いに接続された３つの別個の静電フィルタ６９を備える。
【００３１】
なお、静電フィルタおよび複合静電フィルタの形状は、静電フィルタおよび複合静電フィルタの用途および／または位置に応じて自由に選択できる。形状は何ら限定されない。
【００３２】
上記に加えて、例えば、接着剤によって、電気コネクタをラックの１つ以上のノッチに、および／またはラックの少なくとも１つの端部または側部に追加することが可能である。
【００３３】
本発明は、上述の実施形態のみに限定されるものではなく、添付の特許請求の範囲内で変更可能であることは明らかである。
【図１】
2020510533.tif 000003
【図２Ａ】
2020510533.tif 000004
【図２Ｂ】
2020510533.tif 000005
【図３Ａ】
2020510533.tif 000006
【図３Ｂ】
2020510533.tif 000007
【図４】
2020510533.tif 000008
【図５Ａ】
2020510533.tif 000009
【図５Ｂ】
2020510533.tif 000010
【図５Ｃ】
2020510533.tif 000011
【図６Ａ】
2020510533.tif 000012
【図６Ｂ】
2020510533.tif 000013
【図６Ｃ】
2020510533.tif 000014
【図６Ｄ】
2020510533.tif 000015
【図６Ｅ】
2020510533.tif 000016
【図６Ｆ】
2020510533.tif 000017
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
フレームレスフィルタのフィルタプレートを支持するラックであって、
前記ラック（１０）は前記ラック（１０）の長手方向側に、ノッチ（１１）に配置されたプレートを支持するための複数のノッチ（１１）を備えた長尺部材であり、
前記ラック（１０）の両端に、前記ラック（１０）を前記フレームレスフィルタの上下の支持構造に接続するための接続構造（１３）を備え、
前記ラック（１０）は少なくとも前記プレートを前記ラック（１０）に取り付けるために使用されるように配置された接着剤のためのスロット（１２）をさらに備え、
前記スロット（１２）は前記ノッチ（１１）とは前記ラック（１０）の反対側に配置され、
前記ラック（１０）が導電性材料からなる場合、前記ラック（１０）は前記フィルタプレートのための支持構造として働くことに加えて、前記ラック（１０）は前記フィルタプレートのための電圧供給ラックとして働き、
前記ラックが非導電性材料および導電性材料からなる場合、接着剤は使用されず、前記ラック（１０）は前記フィルタプレートのための支持構造としてのみ作用する、
ラック。
【請求項２】
前記ラック（１０）が樹脂製である、請求項１に記載のラック。
【請求項３】
前記フィルタプレートは、前記スロット（１２）内の接着剤によって前記ラック（１０）に取り付けられるように配置される、請求項１または請求項２に記載のラック。
【請求項４】
前記フィルタプレートは、導電性接着剤によって前記ラック（１０）に取り付けられるように配置される、請求項１〜３のいずれか１項に記載のラック。
【請求項５】
前記ラック（１０）は、少なくとも１つの電気コネクタをさらに備える、請求項１〜４のいずれか１項に記載のラック。
【請求項６】
請求項１から５のいずれか１項に記載の複数のラック（２１、２７）と、互いに積み重ねて配置された複数の導電性フィルタプレート（２２、２３）とを備えたフレームレスの静電フィルタであって、
前記フィルタプレート（２２）の第１の部分が第１の電位に調整され、前記フィルタプレート（２３）の第２の部分が第２の電位に調整され、
前記フィルタプレート（２２）のの前記第１の部分のみを支持するように前記ラック（２１）の第１の部分が配置され、前記フィルタプレート（２３）の第２の部分のみを支持するように前記ラック（２７）の第２の部分が配置され、それにより、各々の前記ラック（２１、２７）が複数のフィルタプレート（２２、２３）を支持し、各プレート（２２、２３）が複数のラック（２１、２７）によって支持され、
スタックの１つおきのフィルタプレート（２２）が前記第１の電位に調整され、１つおきのプレート（２３）が前記第２の電位に調整され、それにより、フィルタプレート（２２、２３）間に電界が形成され、
前記プレート（２２、２３）が整列されるがラック（２１、２７）に取り付けられるように配置されていない位置で、前記プレート（２２、２３）に開口部（２４）が設けられ、前記ラック（２１）の前記第１の部分の少なくとも１つのラックは前記プレート（２２）の前記第１の部分に第１の電圧を供給するように配置され、前記ラック（２７）の前記第２の部分の少なくとも１つのラックは前記プレート（２３）の前記第２の部分に第２の電圧を供給するように配置され、
前記静電フィルタ（２０）は前記静電フィルタ（２０）の上方および下方に支持構造を備える、
静電フィルタ。
【請求項７】
導電性接着剤が、プレートに電圧を供給するように配置されたラック（２１、２７）のスロット（２６）内で使用される、請求項６に記載の静電フィルタ。
【請求項８】
非導電性接着剤が、プレート（２２、２３）を支持するように配置されたラック（２１、２７）のスロット（２６）にプレートを取り付けるために使用される、請求項６または請求項７に記載の静電フィルタ。
【請求項９】
前記静電フィルタ（２０）は、複合静電フィルタを形成するための別の静電フィルタに接続されている、請求項６〜８のいずれか１項に記載の静電フィルタ。
【請求項１０】
前記静電フィルタ（２０）は、直角に形成されるように他の静電フィルタに接続され、両静電フィルタが前記複合静電フィルタのコーナー構造の半分を形成することを特徴とする、請求項１１に記載の静電フィルタ。
【請求項１１】
プレート（２２、２３）に電圧を供給するように配置されたラック（３２ａ、３２ｂ）が、複合静電フィルタの内側に配置される、請求項９または請求項１０に記載の静電フィルタ。
【国際調査報告】
2020510533.tif 000018
2020510533.tif 000019
2020510533.tif 000020